(57)【要約】【課題】挿込孔部に対して挿込ピン部を手指の力で或は簡単な用具を使って挿し込むことにより、布地、皮等柔軟素材品に取り付けうるようにされた新規の、衣服用釦等釦釦、衣服用飾り等の装飾具及びその取付作業用具を提供する。【解決手段】布地、皮等柔軟素材品の折れ曲り自在個所に取付けて用いる釦、飾り具等装飾具であって、主体と当該主体を所定の取付個所に取り付けるための留め体とにより構成され、これら主体、留め体のうちの一方には挿込ピン部が設けられ、同じく他方には前記挿込ピン部の挿込孔部が設けられ、前記挿込孔部の挿込口には挿込ピン部を銜え止める多数枚の板バネ材製銜止歯が周設され、これら各銜止歯の先端を通る仮想円状線の周径が前記挿込ピン部の周径より小さくされて成ることを特徴とする。【選択図】図１
2006000531.tif 000002
【特許請求の範囲】
【請求項１】
布地、皮等柔軟素材品の折れ曲り自在個所に取付けて用いる釦、飾り具等装飾具であって、主体と当該主体を所定の取付個所に取り付けるための留め体とにより構成され、これら主体、留め体のうちの一方には挿込ピン部が設けられ、同じく他方には前記挿込ピン部の挿込孔部が設けられ、前記挿込孔部の挿込口には挿込ピン部を銜え止める多数枚の板バネ材製銜止歯が周設され、これら各銜止歯の先端を通る仮想環状線の周径が前記挿込ピン部の周径より小さくされて成ることを特徴とする釦、飾り具等装飾具。
【請求項２】
前記挿込ピン部が主体の裏面に突設され且つ前記挿込孔部及び銜止歯をもつ板バネ部材が単独で留め体として機能しうる構成にされたことを特徴とする請求項１記載の釦、飾り具等装飾具。
【請求項３】
前記挿込ピン部が前記主体の裏面に突設され、前記板バネ部材が前記留め体の裏面に固定されたことを特徴とする請求項１記載の釦、飾り具等装飾具。
【請求項４】
前記板バネ部材の外側面に挿込ピン部の貫出端を覆うカバー部材が固定され且つ当該板バネ部材において挿込口部に対応する個所がピン先の納まり空間として外側に膨出されたことを特徴とする請求項３の釦、飾り具等装飾具。
【請求項５】
前記納まり空間として機能する膨出部分が基端個所に括れ部分をもつ形状の雄ホックとして機能しうる構成にされたことを特徴とする請求項４記載の釦、飾り具等装飾具。
【請求項６】
前記板バネ部材が主体の裏面に固定され、留め体が鍔付頭部を基端にもつ挿込ピンであることを特徴とする請求項１記載の釦、飾り具等装飾具。
【請求項７】
前記主体が裏面に立ち脚部を有し、当該立ち脚部の取付面に前記板バネ部材が固定されたことを特徴とする請求項６記載の釦、飾り具等装飾具。
【請求項８】
前記主体の裏面に立ち脚部が揺動自在及び回動自在に連結されたことを特徴とする請求項６又は７記載の釦、飾り具等装飾具。
【請求項９】
前記銜止歯が、板バネ部材の中央個所に前記仮想環状線に沿って切られた挿込口と当該挿込口の切縁に放射方向の向きとして切られた多数本の切込を設けることにより構成されたことを特徴とする請求項１〜８のうちの一つの請求項記載の釦、飾り具等装飾具。
【請求項１０】
前記挿込ピン部の硬さが銜止歯の硬さより幾分軟らかい素材製にされたことを特徴とする請求項１〜９のうちの一つの請求項記載釦、飾り具等装飾具。
【請求項１１】
前記板バネ部材が、前記銜止歯が一定量まで戻った位置になった時に当接してそれ以上戻らない状態にするための抑え部材を備えたことを特徴とする請求項１〜１０記載のうちの一つの請求項記載の釦、飾り具等装飾具。
【請求項１２】
留め体の周縁部が、板バネ部材、カバー部材、抑え部材から選ばれた一つ以上の部材の外周縁を折り曲げることにより補強されたことを特徴とする請求項１〜１１のうちの一つの請求項記載の釦、飾り具等装飾具。
【請求項１３】
挿込ピン部の挿込口の切縁部分は、浅い円錐形凹外面にされたことを特徴とする請求項１〜１２のうちの一つの請求項記載の釦、飾り具等装飾具。
【請求項１４】
請求項１〜１３記載の釦、飾り具等装飾具を取付ける場合に用いるものであって、前記留め体若しくは主体の一方を位置ズレしない状態に仮固定するための頭部を加圧用握り部の先端に備えたことを特徴とする釦、飾り具等装飾具の取付作業工具。
【発明の詳細な説明】
【技術分野】
【０００１】
本発明は、挿込孔部に対して挿込ピン部を手指の力で或は簡単な用具を使って挿し込むことにより、布地、皮等柔軟素材品に取り付けうるようにされた、衣服用釦、鞄用釦、靴用釦、帽子用飾り釦、衣服用飾り、ベルトや革製品用飾り等の装飾具及びその専用の取付作業用具に関する。
【背景技術】
【０００２】
従来知られているこの種の衣服用釦等装飾具は、手作業やミシンによる縫付方法、接着剤を用いる接着方法、ハンマー等を用いる打込方法、又はハンドプレス等を用いる圧入方法等により、衣服等の所定の取付個所に取り付けられていた。
【０００３】
しかしながら、前記縫付方法による場合には、縫い目が露呈して体裁が悪いという欠点があり、また前記接着方法による場合には、起毛地に対する接着性が悪く向いていないという欠点や接着剤の食み出しが生じ易いという欠点があり、また前記打込方法及び圧入方法による場合には、ガラスや貝殻、天然石等からできている飾り付きの釦等にあっては割れ等の破損が生じ易いという欠点があった。
【０００４】
さらに、前記各方法を行うときには、普段は外出先等へ持ち歩くことがない、針や糸、ミシン、ハンマー又はハンドプレス等の作業用品や用具が必要であった。言い換えれば、これら作業用品や用具を持ち歩いていない人には、購入したその場で取付けることができないという致命的な問題があった。
【０００５】
一方、従来、たとえばプッシュナット（別名スナップナット）を利用して金属板製、硬質プラスチック製の外装ケース等の外表面にネームプレート等を取付ける方法は多用されている。
【０００６】
しかしながら、よく見ると、前記従来プッシュナットは、その取付個所が金属板等製で硬く、曲がりを起す惧れがない場所に使用されている。要するに、従来プッシュナットは、取付個所が曲がることに伴って曲がってしまうことがない状態すなわち、当該曲がりによって銜え込み機能を喪失することがない金属板部等の硬い個所に使用されている。
【０００７】
本発明者は、前記従来プッシュナットを利用して布地や皮等の柔らかい個所に釦を取付けることができないかと考えこれを試みた。その結果、次のようなことが判った。
【０００８】
このように、布地に対する釦の取付に前記従来プッシュナットを使用した場合には、当該柔らかい布地が外力を受けてへの字状態若しくは二つ折り状態になり易く、その外力がたまたま大きい場合には前記布地等の曲がりに伴って従来ブッシュナットもへの字形状若しくは二つ折り形状に折れ曲がり、比較的簡単に銜え込み機能の喪失状態を起すという致命的問題があることが判った。
【０００９】
このように、従来プッシュナットは、布等柔らかい素材に使用した場合には、銜え込み機能の喪失状態を起し易いことがあったので、現状では金属等の硬い素材品には使用されているが、柔らかい布地等素材には使用されていないのであろう。
【００１０】
なお、現在、柔らかい布地等素材にも問題なく安心して使用できるプッシュナットは、見当たらない。
【００１１】
【特許文献１】また、本出願人は、柔らかい布地等素材にも問題なく安心して使用できる釦、飾り具等装飾具及びその取付作業用具について、先行技術文献を調査したが、これらに関連する先行技術文献は見付け出すことができなかった。
【発明の開示】
【発明が解決しようとする課題】
【００１２】
本発明は、前記作業用品や用具を所持していない場合にあっても、また衣服用釦、鞄用釦、靴用釦、帽子用飾り釦、衣服用飾り、ベルトや革製品用飾り等の装飾具の生産工場にあっても、手指で強く挿し込むことにより簡単に取付ることができ、しかも縫い目の露呈や接着剤の食み出し等が全く無い取付ができ、さらに前記致命的問題点も解消できる、新規の布地、皮等柔軟素材品に取付けて用いる釦、飾り具等装飾具を提供することを第１の目的とし、その専用の取付作業用具を提供することを第２の目的とする。
【課題を解決するための手段】
【００１３】
前記第１の目的を達成するために、請求項１に係る釦、飾り具等装飾具にあっては、布地、皮等柔軟素材品の折れ曲り自在個所に取付けて用いる釦、飾り具等装飾具であって、主体と当該主体を所定の取付個所に取り付けるための留め体とにより構成され、これら主体、留め体のうちの一方には挿込ピン部が設けられ、同じく他方には前記挿込ピン部の挿込孔部が設けられ、前記挿込孔部の挿込口には挿込ピン部を銜え止める多数枚の板バネ材製銜止歯が周設され、これら各銜止歯の先端を通る仮想環状線の周径が前記挿込ピン部の周径より小さくされて成ることを特徴とする。
【００１４】
請求項２に係る釦、飾り具等装飾具にあっては、前記挿込ピン部が主体の裏面に突設され且つ前記挿込孔部及び銜止歯をもつ板バネ部材が単独で留め体として機能しうる構成にされたことを特徴とする。
【００１５】
請求項３に係る釦、飾り具等装飾具にあっては、前記挿込ピン部が前記主体の裏面に突設され、前記板バネ部材が前記留め体の裏面に固定されたことを特徴とする。
【００１６】
請求項４に係る釦、飾り具等装飾具にあっては、前記板バネ部材の外側面に挿込ピン部の貫出端を覆うカバー部材が固定され且つ当該板バネ部材において挿込口部に対応する個所がピン先の納まり空間として外側に膨出されたことを特徴とする。
【００１７】
請求項５に係る釦、飾り具等装飾具にあっては、前記納まり空間として機能する膨出部分が基端個所に括れ部分をもつ形状の雄ホックとして機能しうる構成にされたことを特徴とする。
【００１８】
請求項６に係る釦、飾り具等装飾具にあっては、前記板バネ部材が主体の裏面に固定され、留め体が鍔付扁平頭部を基端にもつ挿込ピンであることを特徴とする。
【００１９】
請求項７に係る釦、飾り具等装飾具にあっては、前記主体が裏面に立ち脚部を有し、当該立ち脚部の取付面に前記板バネ部材が固定されたことを特徴とする。
【００２０】
請求項８に係る釦、飾り具等装飾具にあっては、前記主体の裏面に立ち脚部が揺動自在及び回動自在に連結されたことを特徴とする。
【００２１】
請求項９に係る釦、飾り具等装飾具にあっては、前記銜止歯が、板バネ部材の中央個所に前記仮想環状線に沿って切られた挿込口と当該挿込口の切縁に放射方向の向きとして切られた多数本の切込を設けることにより構成されたことを特徴とする。
【００２２】
請求項１０に係る釦、飾り具等装飾具にあっては、前記挿込ピン部の硬さが銜止歯の硬さより幾分軟らかい素材製にされたことを特徴とする。
【００２３】
請求項１１に係る釦、飾り具等装飾具にあっては、前記板バネ部材が、前記銜止歯が一定量まで戻った位置になった時に当接してそれ以上戻らない状態にするための抑え部材を備えたことを特徴とする。
【００２４】
請求項１２に係る釦、飾り具等装飾具にあっては、留め体の周縁部が、板バネ部材、カバー部材、抑え部材から選ばれた一つ以上の部材の外周縁を折り曲げることにより補強されたことを特徴とする。
【００２５】
請求項１３に係る釦、飾り具等装飾具にあっては、挿込ピン部の挿込口の切縁部分は、浅い円錐形凹外面にされたことを特徴とする。
【００２６】
また、前記第２の目的を達成するために、請求項１４に係る釦、飾り具等装飾具の取付作業用具にあっては、釦、飾り具等装飾具を取付ける場合に用いるもので、前記留め体若しくは主体の一方を位置ズレしない状態に仮固定するための頭部を加圧用握り部の先端に備えたことを特徴とする。
【発明の効果】
【００２７】
請求項１に係る釦、飾り具等装飾具は、布地、皮等柔軟素材品の折れ曲り自在個所に取付けて用いる釦、飾り具等装飾具であって、主体と当該主体を所定の取付個所に取り付けるための留め体とにより構成され、これら主体、留め体のうちの一方には挿込ピン部が設けられ、同じく他方には前記挿込ピン部の挿込孔部が設けられ、前記挿込孔部の挿込口には挿込ピン部を銜え止める多数枚の板バネ材製銜止歯が周設され、これら各銜止歯の先端を通る仮想環状線の周径が前記挿込ピン部の周径より小さくされて成るので、衣服や鞄等における所定の取付個所に対する衣服用釦、鞄用釦、飾り具等装飾具の取付は、例えば、予め前記取付個所に小さな補助孔を開け、この開けた補助孔に主体の挿込ピン部を挿通してその先端を同補助孔の裏面側に貫出させると共に当該貫出部の先端を挿込孔部の挿込口に軽く当てた状態にし、この状態において主体と留め体とに互いに近づく方向の外力を、手指により若しくは簡単な後述するような取付用具を用いることで加えて貫出部を挿込孔部内に圧入し、よって完了することができる。したがって、衣服用釦、飾り具等装飾具主体は、衣服や鞄等における所定の取付個所に対して容易に取り付けることができる。また、当該取付状態時には、前記圧入により銜止歯が抜けにくい方向に向いて挿込ピン部を確実に銜え止められる。
【００２８】
なお、前記補助孔は、前記取付個所が薄手であったり、ソフトであったりして刺し通し易い場合や、挿込ピン部の先が尖った形状にされてある場合等には予め開けなくともよい。また、手指による圧入を容易にして作業者の労力を軽減するため及び安定性をよくして作業性を向上させる等のために、図５及び図１５において示すような、頂面に留め体（又は主体）を安定した状態に載せ置くための凹み部を備えた簡単な取付用具を利用することができる。この取付用具は、例えば工場等にあって連続して多数個の取付作業を行う場合や取付個所が厚手であったり硬めであったりして通しにくい場合には有効である。
【００２９】
したがって、本発明に係る釦、飾り具等装飾具によれば、前記作業用品や用具を所持していない場合にあっても、また衣服用釦、鞄用釦、靴用釦、帽子用飾り釦、衣服用飾り、ベルトや革製品用飾り具等の装飾具の生産工場にあっても、手指で若しくは簡単な取付用具で強く押し込むことにより簡単に取付ることができる。しかも縫い目の露呈や接着剤の食み出し等が全く無い取付ができるのみならず本発明によれば体裁の良さ及び安全性等を備えた製品を低コストで提供することができる。さらには前記致命的問題点も解消できる。
【００３０】
請求項２に係る釦、飾り具等装飾具は、前記挿込ピン部が主体の裏面に突設され且つ前記挿込孔部及び銜止歯をもつ板バネ部材が単独で留め体として機能しうる構成にされたので、打ち抜き加工により得た板バネ部材をそのまま留め体として利用でき、低コスト化品の提供に有利で向いている。
【００３１】
請求項３に係る釦、飾り具等装飾具は、前記挿込ピン部が前記主体の取付面に突設され、前記板バネ部材が前記留め体の裏面に固定されたので、前記主体は挿込ピンを裏面に設けるだけで構成でき、留め体は体裁のよいものを提供できる。
【００３２】
請求項４に係る釦、飾り具等装飾具は、前記板バネ部材の外側面に挿込ピン部の貫出端を覆うカバー部材が固定され且つ当該板バネ部材において挿込口に対応する個所がピン先の納まり空間として外側に膨出されたので、留め体による主体の取付状態時には、挿込ピン部のピン先がカバー部材により隠される。その結果、体裁の良さ及び安全性が確保できる。
【００３３】
請求項５に係る釦、飾り具等装飾具は、前記納まり空間として機能する膨出部分が基端個所に括れ部分をもつ形状の雄ホックとして機能しうる構成にされたので、前記留め体は、主体を取付状態にする機能及び主体をホック付きにする機能を果たす。その結果、この請求項５に係る衣服用釦、鞄用釦、飾り具等装飾具は、ホックとして利用できる。
【００３４】
請求項６に係る釦、飾り具等装飾具は、前記板バネ部材が主体の裏面に固定され、留め体が鍔付扁平頭部を基端にもつ挿込ピンであることを特徴とするので、留め体による主体の取付状態時には、挿込ピン部のピン先や膨出部分が取付個所の裏側に突出されていない、体裁の良さ及び安全性を備えた製品を提供できる。
【００３５】
請求項７に係る釦、飾り具等装飾具は、前記主体が裏面に立ち脚部を有し、当該立ち脚部の取付面に前記板バネ部材が固定されたので、留め体による主体の取付状態時には、挿込ピン部のピン先や膨出部分が取付個所の裏側に突出されていない、体裁の良さ及び安全性を備えた立ち脚部有りの製品を提供できる。
【００３６】
請求項８に係る釦、飾り具等装飾具は、前記主体の裏面に立ち脚部が揺動自在及び回動自在に連結されたので、動きがある主体をもつ衣服用釦、鞄用釦、飾り具等装飾具を提供できる。
【００３７】
請求項９に係る釦、飾り具等装飾具は、前記銜止歯が、板バネ部材の中央個所に前記仮想環状線に沿って切られた挿込口と当該挿込口の切縁に放射方向の向きとして切られた多数本の切込を設けることにより構成されたので、留め体は、打ち抜き加工により得た板バネ部材を以て容易に且つ安価に提供できる。
【００３８】
請求項１０に係る釦、飾り具等装飾具は、前記挿込ピン部の硬さが銜止歯の硬さより幾分軟らかい素材製にされたので、留め体による主体の取付状態時には、前記銜止歯の先端が挿込ピン部の表面に僅かに食い込んだ状態にすることができる。その結果、留め体による主体の取付は、前記衣服や鞄等における所定の取付個所から外れることがなく、信頼できる。
【００３９】
請求項１１に係る釦、飾り具等装飾具は、前記板バネ部材が、前記銜止歯が一定量まで戻った位置になった時に当接してそれ以上戻らない状態にするための抑え部材を備えているので、挿込ピン部が戻り方向すなわち抜き方向の外力を受けた場合には、前記板バネ部材及び銜止歯が銜え込み機能を失う状態に変形しようとするが、この変形が一定量に達したときには、前記抑え部材がその変形を阻止するように機能し、よって銜え込み機能の喪失状態に至ることは防止される。したがって、強い抜き方向の外力を受けても銜え込み機能の喪失状態になり難くできる。
【００４０】
前記抑え部材は、挿込ピン部の通り孔の切縁に切込やキズなどが無い構成にした方が、当該抑え部材の破壊が起きにくく有利であり、当該通り孔の切縁の外面は、ピンの先を入れ易くするために浅い円錐形凹外面にすることが望ましい。
【００４１】
また、実施に際して、前記抑え部材による銜え込み機能の喪失状態阻止機能力をより強くする形状・構成にした場合には、その分、板バネ部材、銜止歯のバネ性を弱くすることが可能になるので、その結果的として板バネ部材及び銜止歯の板厚を薄くできる。このように板厚を薄くする等して板バネ部材、銜止歯のバネ性を弱くした場合には、挿込ピンの押込が楽になり、釦等装飾具の取付が小さい力でも可能になる。このようにすることは、手指の力だけで取付けうるようにするためには、頗る有効な手段である。
【００４２】
請求項１２に係る釦、飾り具等装飾具にあっては、留め体の周縁部が、板バネ部材、カバー部材、抑え部材から選ばれた一つ以上の部材の外周縁を折り曲げることにより補強されたので、強い抜き方向の外力を受けても銜え込み機能の喪失状態を簡単な構造で尚一層起こり難くできる。
【００４３】
請求項１３に係る釦、飾り具等装飾具にあっては、挿込ピン部の挿込口の切縁部分は、浅い円錐形凹外面にされたので、挿込ピン部の挿込作業が容易になり生産性を上げることができる。
【００４４】
また、請求項１４に係る釦、飾り具等装飾具の取付作業用具は、釦、飾り具等装飾具を取付ける場合に用いるもので、前記留め体若しくは主体の一方を位置ズレしない状態に仮固定するための頭部を片手による加圧用握り部の先端に備えたことを特徴とするので、これを後述するような要領で使用すれば、これにより釦等装飾具の取付の容易化ができ、生産性のアップ化ができる。
【発明を実施するための最良の形態】
【００４５】
図１〜図４は、第１実施の形態に係る衣服用釦１を示すものであって、図１は側面図であり、図２は一部切断側面図であり、図３は一部切断分解側面図であり、そして図４は図３A−A線矢視図である。
【００４６】
前記第１実施の形態に係る衣服用釦１は、衣服用釦主体２と当該主体２を所定の取付個所に取り付けるための留め体３とにより構成される。そして前記主体２には挿込ピン部４が設けられ、留め体３には前記挿込ピン部４の挿込孔部５が設けられている。また、前記挿込孔部５の挿込口６には前記挿込ピン部４を銜え止める多数枚の銜止歯７が挿込口６の中心に向いた状態で一体に周設されている。これら銜止歯７は、その先端を結ぶ仮想環状線の周径が前記挿込ピン部４の周径より小さくされている。またこれら銜止歯７の外側面を含む面は、浅い円錐形凹外面７ａを形成するようにされている。
【００４７】
したがって、前記銜止歯７は、その先端が一旦挿し込まれた挿込ピン部４にいわゆる逆立った形で食い込んで当該挿込ピン部４を抜け難くする。また浅い円錐形凹外面７ａは、挿込ピン部４を挿し込む際には案内機能を果たして挿し込み易くするので、作業の容易化及び作業性の能率アップをが可能にする。
【００４８】
前記第１実施の形態に係る衣服用釦１をより詳しく述べると、前記衣服用釦主体２は、台座部８の表面に凹所９が設けられて当該凹所９内に飾り体１０が固定され、また同台座部８の裏面中央に挿込ピン部４が一体に突設されている。
【００４９】
また、留め体３は、浅い皿状を呈する板バネ部材１１を有している。この板バネ部材１１には、その中央個所に、前記仮想環状線に沿って切られた挿込口６と当該挿込口６の切縁に放射方向の向きとして切られた多数本の切込１２が設けられることにより前記銜止歯７が形成されている。また、前記板バネ部材１１の外側面には、挿込ピン部４の貫出端１３を覆うカバー部材１４がカシメ加工により固定されている。このカシメは、図１〜図３に示すように、カバー部材１４の外周縁１４ａが板バネ部材１１の外周縁１１ａを包むようにされている。さらに前記カバー部材１４には、前記挿込口６に対応する個所に前記挿込ピン部４の貫出端１３の納まり空間として機能する丸味のある円錐状膨出部１５が設けられている。この円錐状膨出部１５は、貫出端１３を隠して体裁をよくする機能及び安全性の確保に役立っている
【００５０】
しかも、前記カバー部材１４の外周縁１４ａによれば、当該外周縁１４ａが板バネ部材１１の外周縁１１ａの外側を包むようにしてカシメてあるので、前記布地等の曲がりに伴う曲げにより生じる銜え込み機能喪失の発生を阻止できるのみならず留め体３の外周部分に丸味をつけて安全にすることができ且つ体裁をよくすることができる。
【００５１】
さらに、前記台座部８はアルミ材製にされ、板バネ部材１１は鋼材にされることによって、挿込ピン部４の硬さは銜止歯７の硬さより幾分軟らかくされている。なお、本発明は、前記幾分軟らかくするという条件を満たすダイキャスト、真鍮、プラスチック、他の材料で実施すること、挿込ピン部４が台座部８と一体になっていない構成にすること、銜止歯７が板バネ部材１１と一体になっていない構成にすることにより実施できる。また前記切込１２はＵ字形状の切欠であってもよく、銜止歯７の枚数は任意に増減して増減できる。
【００５２】
前記第１実施の形態に係る衣服用釦１は、図３に示すように例えば、予め衣服布地１７における取付個所１８に小さな補助孔１９を開け、この開けた補助孔１９に主体２の挿込ピン部４を挿通してその先端を同補助孔１９の裏面側に貫出させると共に当該貫出部１９ａの先端を挿込孔部５の挿込口に軽く当てた状態にし、この状態において主体２と留め体３とに互いに近づく方向の外力を、手指により若しくは図５に示すような簡単な第１取付用具２０を用いることにより加えて貫出部４ａを挿込孔部５内に圧入し、よって完了することができる。
【００５３】
図５は、前記第１取付用具２０を示している。この第１取付用具２０は、前記留め体３を位置ズレしない状態に仮固定するための凹み部２１をもつ頭部２２を片手による加圧用の握り部２３の先端に備えた構成にされている。そして前記凹み部２１は、円錐状膨出部１５の外形に倣った形状にされていて、同円錐状膨出部１５にキズ等の損傷を与えないようにされている。したがって、良品の提供に好適である。
【００５４】
また、前記第１取付用具２０を使用した場合には、前記凹み部２１の内面を水や専用溶液等により濡らし状態にしてから留め体３をくっつけることで容易に前記仮固定にすることができる。このような仮固定状態に慣れれば片手で前記圧入作業ができるようになって能率アップに都合がよい。また片手で前記第１取付用具２０を持ちながら同じ片手の指により留め体３を介添的に保持することよっても容易に前記仮固定にすることができる。これも慣れれば片手で前記圧入作業ができるようになって能率アップに都合がよい。なお、本発明は半自動化若しくは全自動化することができる。
【００５５】
また、前記第１実施の形態に係る衣服用釦１は、図６に示すように、留め体３と布地１７との間にワッシャ２５を挟入して使用できる。このようにワッシャ２５を併用した場合には、当該ワッシャ２５は、そこに存在して、板バネ部材１１及び銜止歯７が抜き方向の外力を受けて一定量まで戻った位置になった時に、それ以上戻らない状態にする機能を有効的に果す。すなわち、前記第１実施の形態に係る衣服用釦１は、これをワッシャ２５と併用した場合には、前記カバー部材１４の外周縁１４ａのカシメ部分の補強と相俟って、前記布地等の曲がりに伴う曲げにより生じる銜え込み機能喪失の発生をより強固に阻止できる。
【００５６】
図７は、第２実施の形態に係る衣服用釦２７を示すものであって、一部切断側面図である。
【００５７】
この第２実施の形態に係る衣服用釦２７は、前記第１実施の形態に係る衣服用釦１と同様に構成された衣服用釦主体２８と当該主体２８を所定の取付個所に取り付けるための留め体２９とにより構成される。前記衣服用釦主体２８は、前記第１実施の形態に係る衣服用釦１と同じ構成になっているので、ここではその説明は各部位に同じ符号を付して省略するが、留め体２９の構成は異なるので次に説明する。
【００５８】
すなわち、前記留め体２９は、前記仮想環状線に沿って切られた挿込口３１と当該挿込口３１の切縁に放射方向の向きとして多数本の切込２６が切られて前記銜止歯３２が形成された板バネ部材３６と、前記板バネ部材３６の外側面に配された挿込ピン部３０の貫出端３７を覆うカバー部材３８と、同板バネ部材３６の内側面に配された前記板バネ部材３６及び前記銜止歯３２が前記抜き方向の外力を受けて一定量まで戻った位置になった時に当接してそれ以上戻らない状態にするための抑え部材３９とから構成され、これら板バネ部材３６、カバー部材３８、抑え部材３９が、当該抑え部材３９の外周縁３９ａによりカバー部材３８の外周縁３８ａを包むようにしてカシメることによって一体化されている。また、カバー部材３８において挿込口３２に対応する個所には、前記貫出端３７の納まり空間として機能する丸味のある円錐状膨出部４０が設けられている。
【００５９】
前記第２実施の形態に係る衣服用釦２７は、カバー部材３８の外周縁３８ａと抑え部材３９の外周縁３９ａのカシメ縁が、布地等の曲がりに伴う曲げにより生じる銜え込み機能喪失の発生を阻止する機能を果して、カバー部材３８と抑え部材３９を曲がり難くできる。また、同カシメ縁は、留め体２９の外周部分に丸味をつけて安全にすることができ且つ体裁をよくすることができる。
【００６０】
図８及び図９は、第３実施の形態に係る衣服用釦４２を示すものであって、図８は一部切断側面図であり、図９は一部切断分解側面図である。
【００６１】
この第３実施の形態に係る衣服用釦４２は、前記第１実施の形態に係る衣服用釦１と同様に構成された衣服用釦主体４３と当該主体４３を所定の取付個所に取り付けるための留め体４４とにより構成される。前記衣服用釦主体４３は、前記第１実施の形態に係る衣服用釦１と同じ構成になっているので、ここではその説明は各部位に同じ符号を付して省略するが、留め体４４の構成は異なるので次に説明する。
【００６２】
すなわち、前記留め体４４は、前記仮想環状線に沿って切られた挿込口４５と当該挿込口４５の切縁に放射方向の向きとして多数本の切込４６が切られて銜止歯４７が形成された板バネ部材４８と、この板バネ部材４８の内側面に配された同板バネ部材４８及び前記銜止歯４７が前記抜き方向の外力を受けて一定量まで戻った位置になった時に当接してそれ以上戻らない状態にするための抑え部材４９とを重ねると共に当該重ね体５０の外側面に前記挿込ピン部３０の貫出端３７を覆うカバー部材５１を配し、このカバー部材５１の外周縁５１ａにより前記重ね体５０の外周縁５０ａを包むようにしてカシメることによって一体化されている。
【００６３】
前記第３実施の形態に係る衣服用釦４２は、カバー部材５１の外周縁５１ａのカシメ縁が、布地等の曲がりに伴う曲げにより生じる銜え込み機能喪失の発生を阻止する機能を果して、板バネ部材４８と抑え部材４９を曲がり難くできる。また、同カシメ縁は、留め体４４の外周部分に丸味をつけて安全にすることができ且つ体裁をよくすることができる。
【００６４】
図１０は、第４実施の形態に係る衣服用釦５３を示すものであって、一部切断側面図である。
【００６５】
この第４実施の形態に係る衣服用釦５３は、板バネ部材５４が単品で留め体５５として機能しうる構成にされたものである。なお、この第４実施の形態に係る衣服用釦５３は、前記第１実施の形態に係る衣服用釦１の説明を参照することにより容易に理解できるので、前記第１実施の形態に係る衣服用釦１と同じ部位には同じ符号をつけて詳細な説明は省略する。そして、この第４実施の形態に係る衣服用釦５３は、板バネ部材５４の外周縁５４ａを折り立て縁にして曲がり難くし、これによって前記布地等の曲がりに伴う曲げにより生じる銜え込み機能喪失の発生を阻止するようにしてある。なお、前記板バネ部材５４の外周縁５４ａは、巻き込み形式の折り縁にすること、二つ折り形式の折り縁にすること、その他の方法で補強する構成にすることができる。
【００６６】
図１１は、第５実施の形態に係る衣服用釦５６を示すものであって、一部切断側面図である。
【００６７】
この第５実施の形態に係る衣服用釦５６は、前記第４実施の形態に係る衣服用釦５３と同様に、板バネ部材５７が単品で留め体５８として機能しうる構成にされたものである。なお、この第５実施の形態に係る衣服用釦５６は、前記第４実施の形態に係る衣服用釦５３の説明を参照することにより容易に理解できるので、前記第４実施の形態に係る衣服用釦５３と同じ部位には同じ符号をつけて詳細な説明は省略する。
【００６８】
前記第５実施の形態に係る衣服用釦５６において板バネ部材５７は、その内側にワッシャ５９を入れて使用される。この使用状態の場合には、ワッシャ５９は、そこに存在して、板バネ部材５７及び銜止歯４７が前記抜き方向の外力を受けて一定量まで戻った位置になった時に、それ以上戻らない状態にする機能を有効的に果し、前記布地等の曲がりに伴う曲げにより生じる銜え込み機能喪失の発生を阻止できる。
【００６９】
図１２は、第６実施の形態に係る衣服用釦６０を示すものであって、一部切断側面図である。
【００７０】
この第６実施の形態に係る衣服用釦６０は、前記第４実施の形態に係る衣服用釦５３と同様に、板バネ部材６１が単品で留め体６２として機能しうる構成にされたものである。なお、この第６実施の形態に係る衣服用釦６０は、前記第４実施の形態に係る衣服用釦５３の説明を参照することにより容易に理解できるので、詳細な説明は省略する。
【００７１】
この第６実施の形態に係る衣服用釦６０は、前記第１実施の形態に係る衣服用釦１と同様に構成された衣服用釦主体６３と当該主体６３を所定の取付個所に取り付けるための留め体６２とにより構成される。この第６実施の形態に係る衣服用釦主体６０は、前記第１実施の形態に係る衣服用釦１と同じ構成になっているので、ここではその説明は各部位に同じ符号を付して省略するが、留め体６４の構成は異なるので次に説明する。
【００７２】
すなわち、前記留め体６２は、前記仮想環状線に沿って切られた挿込口６５と当該挿込口６５の切縁に放射方向の向きとして多数本の切込６６が切られて銜止歯６７が形成された板バネ部材６１と、この板バネ部材６１の内側面に配された同板バネ部材６１及び前記銜止歯６７が前記抜き方向の外力を受けて一定量まで戻った位置になった時に当接してそれ以上戻らない状態にするための抑え部材６９とを重ねると共に当該抑え部材６９の外周縁６９ａにより前記板バネ部材６１の外周縁６１ａを包むようにしてカシメることによって一体化されている。
【００７３】
前記第６実施の形態に係る衣服用釦６０は、抑え部材６９の外周縁６９ａが、布地等の曲がりに伴う曲げにより生じる銜え込み機能喪失の発生を阻止する機能を果して、板バネ部材６１と抑え部材６９を曲がり難くできる。
【００７４】
図１３及び図１４は、第７実施の形態に係る衣服用釦７１を示すものであって、図１３は一部切断側面図であり、図１４は一部切断分解側面図である。
【００７５】
この第７実施の形態に係る衣服用釦７１は、前記第１実施の形態に係る衣服用釦１において前記納まり空間として機能する円錐状膨出部１５が、基端個所に括れ部分７２をもつ形状の雄ホック７３として機能しうる構成にされたものである。この雄ホック７３は、例えば図１３及び図１４において仮想線で示すような雌ホック７４と組にして使用される。なお、この第７実施の形態に係る衣服用釦７１は、前記第１実施の形態に係る衣服用釦１の説明を参照することにより容易に理解できるので、前記第１実施の形態に係る衣服用釦１と同じ部位には同じ符号をつけて詳細な説明は省略する。
【００７６】
前記第７実施の形態に係る衣服用釦７１は、図１４に示すように例えば、予め衣服布地１７における取付個所１８に小さな補助孔１９を開け、この開けた補助孔１９に主体２の挿込ピン部４を挿通してその先端を同補助孔１９の裏面側に貫出させると共に当該貫出部４ａの先端を挿込孔部５の挿込口に軽く当てた状態にし、この状態において主体２と留め体３とに互いに近づく方向の外力を、手指により若しくは図１５に示すような簡単な第２取付用具７５を用いることにより加えて貫出部４ａを挿込孔部５内に圧入し、よって完了することができる。
【００７７】
図１５は、第２取付用具７５を示す。この第２取付用具７５は、前記留め体３を位置ズレしない状態に仮固定するための凹み部７６及び逃げ孔７７をもつ頭部７８を片手による加圧用握り部７９の先端に備えた構成になっている。
【００７８】
また、前記第７実施の形態に係る衣服用釦７１は、図１６に示すように、留め体３と布地１７との間にワッシャ８１を挟入して使用できる。このようにワッシャ８１を併用した場合には、当該ワッシャ８１は、そこに存在して、板バネ部材１１及び銜止歯７が抜き方向の外力を受けて一定量まで戻った位置になった時に、それ以上戻らない状態にする機能を有効的に果す。すなわち、前記第７実施の形態に係る衣服用釦７１は、これをワッシャ８１と併用した場合には、カバー部材１４の外周縁１４ａのカシメ部分と相俟って、布地等の曲がりに伴う曲げにより生じる銜え込み機能喪失の発生をより強固に阻止できる。
【００７９】
図１７は、第８実施の形態に係る衣服用釦８３を示すものであって、一部切断側面図である。
【００８０】
この第８実施の形態に係る衣服用釦８３は、前記第２実施の形態に係る衣服用釦２７（図７参照）において前記納まり空間として機能する円錐状膨出部４０が、基端個所に括れ部分８４をもつ形状の雄ホック８５として機能しうる構成にされたものである。この雄ホック８５は、例えば図１７において仮想線で示すような雌ホック８６と組にして使用される。なお、この第８実施の形態に係る衣服用釦８３の主体部分は、前記第１実施の形態に係る衣服用釦１の説明を参照することにより容易に理解できるので、その詳細な説明は省略する。
【００８１】
図１８は、第９実施の形態に係る衣服用釦８８を示すものであって、一部切断側面図である。
【００８２】
この第９実施の形態に係る衣服用釦８８は、前記第３実施の形態に係る衣服用釦４２（図８参照）における円錐状膨出部５２が雄ホック８９にされた点で異なっているものであるので、ここでは同じ各部位に同一の符号を付して説明は省略する。
【００８３】
図１９及び図２０は、第１０実施の形態に係る衣服用釦９１を示すものであって、図１９は一部切断側面図であり、図２０は一部切断分解側面図である。
【００８４】
この第１０実施の形態に係る衣服用釦９１は、前記第８実施の形態に係る衣服用釦８３（図１７参照）における雄ホック８５の形式と違う形式の雄ホック９２が設けられている点が異なっているものであるので、ここでは前記第８実施の形態に係る衣服用釦８３の各部位と同じ各部位には同一の符号を付してその説明は省略する。
【００８５】
図２１及び図２２は、第１１実施の形態に係る衣服用釦９４を示すものであって、図２１は一部切断側面図であり、図２２は一部切断分解側面図である。
【００８６】
この第１１実施の形態に係る衣服用釦９４は、前記と同じように構成された板バネ部材９５が主体９６の裏面に固定され、留め体９７が鍔付扁平頭部９８を基端にもつ挿込ピン９９により構成されたものである。前記主体９７は、図２１及び図２２に示すように裏面に底壁１００付きの立ち脚部１０１を有し、この立ち脚部１０１に板バネ部材９５を装填してからゴム芯材１０２を入れる要領でこれら板バネ部材９５、ゴム芯材１０２が当該立ち脚部１０１内に固定されたものである。なお、この第１１実施の形態に係る衣服用釦９４の主体部分は、前記第１実施の形態に係る衣服用釦１の説明を参照することにより容易に理解できるので、詳細な説明は省略する。
【００８７】
前記第７実施の形態に係る衣服用釦９４は、図２２に示すように例えば、予め衣服布地１７における取付個所１８に小さな補助孔１９を開け、この開けた補助孔１９に主体９６の挿込ピン部９９を挿通してその先端を同補助孔１９の裏面側に貫出させると共に当該貫出部の先端を挿込孔部の挿込口１０３に軽く当てた状態にし、この状態において主体９６と留め体９７とに互いに近づく方向の外力を、手指により若しくは図２３に示すような簡単な第３取付用具１２３を用いることにより加えて前記貫出部を挿込口１０３内に圧入し、よって完了することができる。
【００８８】
図２３は、第３取付用具１２３を示す。この第３取付用具１２３は、前記留め体９７を位置ズレしない状態に仮固定するための凹み部１２４及び真空室１２５並びに吸引孔１２６をもつ頭部１２７を備えている半自動機（図示せず）構成になっている。なお、前記の第１取付用具２０及び第２取付用具７５並び第３取付用具１２３には、コレットチャックや真空吸着を使って頭部に留め体（若しくは主体）を仮固定する形式にすることができる。また、前記仮固定をする場合には、作業台２４の上で行うことが望ましく、作業がスムーズ且つ容易になる利点がある。
【００８９】
図２４は、第１２実施の形態に係る衣服用釦１０４を示すものであって、一部切断側面図である。
【００９０】
この第１２実施の形態に係る衣服用釦１０４は、板バネ部材１０５の外側に抑え部材１０６を重ねて設けた点及びこれら板バネ部材１０５、抑え部材１０６がカシメ縁１０７をカシメ倒す前に装填する形式の立ち脚部１０８内に固定された点が、前記第１１実施の形態に係る衣服用釦９４と異なっているものであるので、ここではその説明は省略する。
【００９１】
図２５及び図２６は、第１３実施の形態に係る衣服用釦１１０を示すものであって、図２５は一部切断側面図であり、図２６は一部切断分解側面図である。
【００９２】
この第１３実施の形態に係る衣服用釦１１０は、主体１１１の裏面に筒状の立ち脚部１１２が揺動自在及び回動自在に連結され、当該立ち脚部１１２の先端部に予め設けられている鍔状部１１３に板バネ部材１１４が固定され、そして留め体１１５が鍔付扁平頭部１１６を基端にもつ挿込ピン１１７により構成されたものである。なお、この第１３実施の形態に係る衣服用釦１１０の板バネ部材１１４の構成は、前記第１実施の形態に係る衣服用釦１の説明を参照することにより容易に理解できるので、その詳細な説明は省略する。
【００９３】
図２７は、第１４実施の形態に係る衣服用釦１１９を示すものであって、一部切断側面図である。
【００９４】
この第１４実施の形態に係る衣服用釦１１９は、板バネ部材１２０の外側に抑え部材１２１を重ねて設けた点が、前記第１３実施の形態に係る衣服用釦１１０と異なっているものであるので、ここでは前記第１３実施の形態に係る衣服用釦１１０の各部位と同じ各部位には同一の符号を付してその説明は省略する。
【産業上の利用可能性】
【００９５】
本発明の構成要件は、取付けたままで使用される飾り用のパーツ、鞄用釦、服飾ベルト、飾り具等に適用して実施できる。また、主体の構造は前記釦、飾り具に限定されなく、フック等引掛具や吊下げ具であったり、連結環であったり、その他の部品であったりしてもよく、これらにも本発明は及ぶものである。
【図面の簡単な説明】
【００９６】
【図１】第１実施の形態に係る衣服用釦を示す側面図である。
【図２】同じく一部切断側面図である。
【図３】同じく一部切断分解側面図である。
【図４】図３A−A線矢視図である。
【図５】第１取付作業用具の使い方を示す一部切断側面図である。
【図６】第１実施の形態に係る衣服用釦の別異の使い方を示す一部切断側面図である。
【図７】第２実施の形態に係る衣服用釦を示す一部切断側面図である。
【図８】第３実施の形態に係る衣服用釦を示す一部切断側面図である。
【図９】板バネ部材及び抑え部材を示す斜視図である。
【図１０】第４実施の形態に係る衣服用釦を示す一部切断側面図である。
【図１１】第５実施の形態に係る衣服用釦を示す一部切断側面図である。
【図１２】第６実施の形態に係る衣服用釦を示す一部切断側面図である。
【図１３】第７実施の形態に係る衣服用釦を示す一部切断側面図である。
【図１４】同じく一部切断分解側面図である。
【図１５】第２取付作業用具の使い方を示す一部切断側面図である。
【図１６】第７実施の形態に係る衣服用釦の別異の使い方を示す一部切断側面図である。
【図１７】第８実施の形態に係る衣服用釦を示す一部切断側面図である。
【図１８】第９実施の形態に係る衣服用釦を示す一部切断側面図である。
【図１９】第１０実施の形態に係る衣服用釦を示す一部切断側面図である。
【図２０】同じく一部切断分解側面図である。
【図２１】第１１実施の形態に係る衣服用釦を示す一部切断側面図である。
【図２２】同じく一部切断分解側面図である。
【図２３】第３取付作業用具の使い方を示す一部切断側面図である。
【図２４】第１２実施の形態に係る衣服用釦を示す一部切断側面図である。
【図２５】第１３実施の形態に係る衣服用釦を示す一部切断側面図である。
【図２６】同じく一部切断分解側面図である。
【図２７】第１４実施の形態に係る衣服用釦を示す一部切断側面図である。
【符号の説明】
【００９７】
１  第１実施の形態に係る衣服用釦
２  主体
３  留め体
４  挿込ピン部
４ａ  貫出部
５  挿込孔部
６  挿込口
７  銜止歯
７ａ  円錐形凹外面
８  台座部
９  凹所
１０  飾り体
１１  板バネ部材
１１ａ  外周縁
１２  切込
１４  カバー部材
１４ａ  外周縁
１５  膨出部
１７  衣服布地
１８  取付個所
１９  補助孔
２０  第１取付用具
２１  凹み部
２２  頭部
２３  加圧用握り部
２４  作業台
２５  ワッシャ
２６  切込
２７  第２実施の形態に係る衣服用釦
２８  主体
２９  留め体
３０  挿込ピン部
３１  挿込孔部
３２  銜止歯
３６  板バネ部材
３７  貫出端
３８  カバー部材
３９  抑え部材
３９ａ  外周縁
４０  膨出部
４２  第３実施の形態に係る衣服用釦
４３  主体
４４  留め体
４５  挿込口
４６  切込
４７  銜止歯
４８  板バネ部材
４９  抑え部材
５０  重ね体
５０ａ  外周縁
５１  カバー部材
５１ａ  外周縁
５２  膨出部
５３  第４実施の形態に係る衣服用釦
５４  板バネ部材
５４ａ  外周縁
５５  留め体
５６  第５実施の形態に係る衣服用釦
５７  板バネ部材
５８  留め体
５９  ワッシャ
６０  第６実施の形態に係る衣服用釦
６１  板バネ部材
６１ａ  外周縁
６２  留め体
６３  主体
６４  留め体
６５  挿込口
６６  切込
６７  銜止歯
６９  抑え部材
６９ａ  外周縁
７１  第７実施の形態に係る衣服用釦
７２  第７実施の形態に係る衣服用釦
７３  雄ホック
７４  雌ホック
７５  第２取付用具
７６凹み部
７７  逃げ孔
７８  頭部
７９  加圧用握り部
８１  ワッシャ
８３  第８実施の形態に係る衣服用釦
８４  括れ部分
８５  雄ホック
８６  雌ホック
８８  第９実施の形態に係る衣服用釦
８９  雄ホック
９１  第１０実施の形態に係る衣服用釦
９２  雄ホック
９４  第１１実施の形態に係る衣服用釦
９５  板バネ部材
９６  主体
９７  留め体
９８  鍔付扁平頭部
９９  挿込ピン
１００  底壁
１０１  立ち脚部
１０２  ゴム芯材
１０４  第１２実施の形態に係る衣服用釦
１０３  挿込口
１０５  板バネ部材
１０６  抑え部材
１０７  カシメ縁
１０８  立ち脚部
１１０  第１３実施の形態に係る衣服用釦
１１１  主体
１１２  立ち脚部
１１３  鍔状部
１１４  板バネ部材
１１５  留め体
１１６  鍔付扁平頭部
１１７  挿込ピン
１１９  第１４実施の形態に係る衣服用釦
１２０  板バネ部材
１２１  抑え部材
１２３  第３取付用具
１２４  凹み部
１２５  真空室
１２６  吸引孔１２７  頭部
【図１】
2006000531.tif 000003
【図２】
2006000531.tif 000004
【図３】
2006000531.tif 000005
【図４】
2006000531.tif 000006
【図５】
2006000531.tif 000007
【図６】
2006000531.tif 000008
【図７】
2006000531.tif 000009
【図８】
2006000531.tif 000010
【図９】
2006000531.tif 000011
【図１０】
2006000531.tif 000012
【図１１】
2006000531.tif 000013
【図１２】
2006000531.tif 000014
【図１３】
2006000531.tif 000015
【図１４】
2006000531.tif 000016
【図１５】
2006000531.tif 000017
【図１６】
2006000531.tif 000018
【図１７】
2006000531.tif 000019
【図１８】
2006000531.tif 000020
【図１９】
2006000531.tif 000021
【図２０】
2006000531.tif 000022
【図２１】
2006000531.tif 000023
【図２２】
2006000531.tif 000024
【図２３】
2006000531.tif 000025
【図２４】
2006000531.tif 000026
【図２５】
2006000531.tif 000027
【図２６】
2006000531.tif 000028
【図２７】
2006000531.tif 000029